(57)【要約】【課題】機器情報の推移を理解容易に表示する、機器保全装置、機器保全方法、機器保全プログラム及び記録媒体を提供する。【解決手段】機器保全装置は、保全対象の機器の機器情報を取得する機器情報取得部と、取得した機器情報に含まれる機器の設定値の、前回取得した設定値からの推移に基づき生成される比較表示を機器毎に表示する表示部とを備える。【選択図】図１１
2019040627.tif 000002
【特許請求の範囲】
【請求項１】
保全対象の機器の機器情報を取得する機器情報取得部と、
取得した前記機器情報に含まれる前記機器の設定値の、前回取得した設定値からの推移に基づき生成される比較表示を前記機器毎に表示する表示部と
を備える、機器保全装置。
【請求項２】
前記比較表示を表示する前記設定値の種類を選択する情報種類選択部をさらに備え、
前記表示部は、選択された前記種類の前記比較表示を表示する、請求項１に記載の機器保全装置。
【請求項３】
前記情報種類選択部は、前記種類を前記機器の種別毎に選択する、請求項２に記載の機器保全装置。
【請求項４】
前記情報種類選択部は、前記種類を前記機器の通信種別毎に選択する、請求項２又は３に記載の機器保全装置。
【請求項５】
前記比較表示の表示態様を選択する表示態様選択部をさらに備え、
前記表示部は、選択された前記表示態様で前記比較表示を表示する、請求項１から４のいずれか一項に記載の機器保全装置。
【請求項６】
前記表示態様選択部は、矢印、予め定められた記号、前記設定値の差分、文字又はグラフの、少なくともいずれか一の表示態様を選択する、請求項５に記載の機器保全装置。
【請求項７】
前記表示態様選択部は、前記表示態様を前記機器の種別毎に選択する、請求項５又は６に記載の機器保全装置。
【請求項８】
前記表示態様選択部は、前記表示態様を前記機器の通信種別毎に選択する、請求項５から７のいずれか一項に記載の機器保全装置。
【請求項９】
保全対象の機器の機器情報を取得する機器情報取得ステップと、
取得した前記機器情報に含まれる前記機器の設定値の、前回取得した設定値からの推移に基づき生成される比較表示を前記機器毎に表示する表示ステップと
を含む、機器保全方法。
【請求項１０】
保全対象の機器の機器情報を取得する機器情報取得処理と、
取得した前記機器情報に含まれる前記機器の設定値の、前回取得した設定値からの推移に基づき生成される比較表示を前記機器毎に表示する表示処理と
をコンピュータに実行させる、機器保全プログラム。
【請求項１１】
保全対象の機器の機器情報を取得する機器情報取得処理と、
取得した前記機器情報に含まれる前記機器の設定値の、前回取得した設定値からの推移に基づき生成される比較表示を前記機器毎に表示する表示処理と
をコンピュータに実行させる機器保全プログラムが記録された記録媒体。
【発明の詳細な説明】
【技術分野】
【０００１】
本発明は、機器保全装置、機器保全方法、機器保全プログラム及び記録媒体に関する。
【背景技術】
【０００２】
従来から、化学等の工業プラント、ガス田や油田等の井戸元やその周辺を管理制御するプラント、水力・火力・原子力等の発電を管理制御するプラント、太陽光や風力等の環境発電を管理制御するプラント、上下水やダム等を管理制御するプラント等のプラントや工場等（以下、これらを総称する場合には「プラント」という）においては、フィールド機器と呼ばれる測定器又は操作器等の現場機器と、これらを制御する制御装置とが通信手段を介して接続された分散制御システム（ＤＣＳ：Ｄｉｓｔｒｉｂｕｔｅｄ  Ｃｏｎｔｒｏｌ  Ｓｙｓｔｅｍ）が構築されており、高度な自動操業が実現されている。このような分散制御システムが構築されたプラントにおいては、異常な動作の予防、測定精度の維持等の観点から、作業者によるフィールド機器（以下、「機器」と略す場合がある。）の保全が定期又は不定期に行われる。
【０００３】
フィールド機器の保全は、例えば、フィールド機器との間で有線通信又は無線通信が可能な機器保全装置を用いて行われる。この機器保全装置は、例えばフィールド機器の保全を行うための専用のプログラムがインストールされた、ノート型又はタブレット型のコンピュータ、ＰＤＡ（Ｐｅｒｓｏｎａｌ  Ｄｉｇｉｔａｌ  Ａｓｓｉｓｔａｎｔ）、又はスマートフォン等である。フィールド機器は、１又は複数の機器情報を保有することができる。機器情報とは、フィールド機器に係る情報であって、例えば、フィールド機器の動作を設定するための情報、フィールド機器状態を示す情報、又はフィールド機器の識別情報等である。機器保全装置は、フィールド機器に設定された機器情報を読み出して確認し、フィールド機器に対して新たな機器情報を設定し、又はフィールド機器に設定された機器情報を変更することができる。
【０００４】
機器保全装置には、フィールド機器に対してフィールド機器に設定された機器情報を変更したときに、変更した機器情報を機器保全装置の表示部に表示して、機器情報の変更を確認できる装置がある（例えば、特許文献１を参照）。
【０００５】
また、プラントのプロセスデータを処理した数値情報を表示するプラント監視装置においては、所定の期間におけるプロセスデータを処理した数値情報の推移（傾向）を表示装置に表示するものがある（例えば、特許文献２を参照）。
【先行技術文献】
【特許文献】
【０００６】
【特許文献１】特開２０１５−１０９０１１号公報
【特許文献２】特開２０１３−２２２３１６号公報
【発明の概要】
【発明が解決しようとする課題】
【０００７】
しかし、フィールド機器の使用状況、フィールド機器の種類、保全作業の実施状況等によって、機器情報の確認、設定又は変更（以下、「機器情報の確認等」という。）作業の頻度（不定期を含む）が異なるため、機器情報によっては機器情報の推移を把握するための期間が適切ではない場合があった。すなわち、例えば、毎日の頻度で変更される機器情報は、比較的短い期間で推移を把握できるが、月に１回の頻度で変更される機器情報は、より長い期間でなければ推移を把握することができないといったように、推移を把握可能な期間が異なる場合がある。また、機器保全装置の表示部に変更した機器情報を表示するだけでは、変更された機器情報の内容理解し、機器情報の変更による影響を判断するのが難しい場合があった。
【０００８】
本発明は上記事情に鑑みてなされたものであり、機器情報の推移を理解容易に表示する、機器保全装置、機器保全方法、機器保全プログラム及び記録媒体を提供することを目的とする。
【課題を解決するための手段】
【０００９】
（１）上記の課題を解決するため、本発明の機器保全装置は、保全対象の機器の機器情報を取得する機器保全装置であって、取得した前記機器情報の比較対象を選択する比較対象選択部と、選択された前記比較対象からの前記機器情報の推移に基づき生成される比較表示を前記機器毎に表示する表示部とを備える。
【００１０】
（２）また、本発明の機器保全装置において、前記比較表示を表示する機器情報の種類を選択する情報種類選択部をさらに備え、前記表示部は、選択された前記種類の前記比較表示を表示する。
【００１１】
（３）また、本発明の機器保全装置において、前記情報種類選択部は、前記種類を前記機器の種別毎に選択する。
【００１２】
（４）また、本発明の機器保全装置において、前記情報種類選択部は、前記種類を前記機器の通信種別毎に選択する。
【００１３】
（５）また、本発明の機器保全装置において、前記比較表示の表示態様を選択する表示態様選択部をさらに備え、前記表示部は、選択された前記表示態様で前記比較表示を表示する。
【００１４】
（６）また、本発明の機器保全装置において、前記表示態様選択部は、矢印、予め定められた記号、前記機器情報の差分、文字又はグラフの、少なくともいずれか一の表示態様を選択する。
【００１５】
（７）また、本発明の機器保全装置において、前記表示態様選択部は、前記表示態様を前記機器の種別毎に選択する。
【００１６】
（８）また、本発明の機器保全装置において、前記表示態様選択部は、前記表示態様を前記機器の通信種別毎に選択する。
【００１７】
（９）上記の課題を解決するため、本発明の機器保全方法は、保全対象の機器の機器情報を取得する機器情報取得ステップと、取得した前記機器情報の比較対象を選択する比較対象選択ステップと、選択された前記比較対象からの前記機器情報の推移に基づき生成される比較表示を前記機器毎に表示する表示ステップとを含む。
【００１８】
（１０）上記の課題を解決するため、本発明の機器保全プログラムは、保全対象の機器の機器情報を取得する機器情報取得処理と、取得した前記機器情報の比較対象を選択する比較対象選択処理と、選択された前記比較対象からの前記機器情報の推移に基づき生成される比較表示を前記機器毎に表示する表示処理とをコンピュータに実行させる。
【００１９】
（１１）上記の課題を解決するため、本発明の記録媒体は、保全対象の機器の機器情報を取得する機器情報取得処理と、取得した前記機器情報の比較対象を選択する比較対象選択処理と、選択された前記比較対象からの前記機器情報の推移に基づき生成される比較表示を前記機器毎に表示する表示処理とをコンピュータに実行させる機器保全プログラムが記録されている。
【発明の効果】
【００２０】
本発明によれば、機器情報の推移を理解容易に表示する、機器保全装置、機器保全方法、機器保全プログラム及び記録媒体を提供することができる。
【図面の簡単な説明】
【００２１】
【図１】実施形態における機器保全装置のハードウェア構成の一例を示すブロック図である。
【図２】実施形態における機器保全装置の機能構成の一例を示すブロック図である。
【図３】実施形態における機器保全装置の比較表示の設定処理の一例を示すフローチャートである。
【図４】実施形態における機器保全装置の比較表示の表示処理の一例を示すフローチャートである。
【図５】実施形態における機器保全装置が表示する比較表示の比較対象の設定画面の一例を示す図である。
【図６】実施形態における比較表示に表示する機器情報の種類の選択の一例を示す図である。
【図７】実施形態における比較表示に表示する機器情報の種類の選択の一例を示す図である。
【図８】実施形態における比較表示に表示する機器情報の種類の選択の一例を示す図である。
【図９】実施形態における機器保全装置が表示する情報種類選択画面及び表示態様選択画面の一例を示す図である。
【図１０】実施形態における機器保全装置が表示するメイン画面の一例を示す図である。
【図１１】実施形態における機器保全装置が表示するメイン画面の比較表示の一例を示す図である。
【図１２】実施形態における機器保全装置が表示する矢印の方向による比較表示の表示態様の一例を示す図である。
【発明を実施するための形態】
【００２２】
以下、図面を参照して本発明の一実施形態における機器保全装置、機器保全方法、機器保全プログラム及び記録媒体について詳細に説明する。
【００２３】
先ず、図１を用いて、機器保全装置のハードウェア構成を説明する。図１は、実施形態における機器保全装置１のハードウェア構成の一例を示すブロック図である。
【００２４】
図１において、機器保全装置１は、ＣＰＵ（Ｃｅｎｔｒａｌ  Ｐｒｏｃｅｓｓｉｎｇ  
Ｕｎｉｔ）１１、ＲＡＭ（Ｒａｎｄｏｍ  Ａｃｃｅｓｓ  Ｍｅｍｏｒｙ）１２、ＲＯＭ（Ｒｅａｄ  Ｏｎｌｙ  Ｍｅｍｏｒｙ）１３、ＨＤＤ（Ｈａｒｄ  Ｄｉｓｋ  Ｄｒｉｖｅ）１４、タッチパネル１５、通信Ｉ／Ｆ（Ｉｎｔｅｒｆａｃｅ）１６、及びカードスロット１７を有する。機器保全装置１は、フィールド機器２と通信可能に接続される。
【００２５】
機器保全装置１は、ノート型ＰＣ、タブレット型ＰＣ、ＰＤＡ、又はスマートフォン等の汎用装置、又は機器保全専用の装置である。機器保全装置１は、フィールド機器の保全を行うための機器保全プログラムを含み、機器保全プログラムが実行されることによってフィールド機器の保全作業を支援する。機器保全装置１は、保全作業を実施する作業者によってプラント内で可搬され、作業者によって操作される。
【００２６】
ＣＰＵ１１は、ＲＡＭ１２、ＲＯＭ１３又はＨＤＤ１４に記憶されたプログラムを実行することにより、機器保全装置１の制御を行う。機器保全プログラムは、例えば、機器保全プログラムを記録した記録媒体、又はネットワークを介した機器保全プログラムを提供するサーバ等から取得されて、ＨＤＤ１４にインストールされ、ＲＡＭ１２にＣＰＵ１１から読出し可能に記憶される。
【００２７】
タッチパネル１５は、操作入力機能と表示機能とを有する操作表示機能を有する。タッチパネル１５は、フィールド機器の保全に係る保全情報等の情報を表示する。また、タッチパネル１５は、作業者に対して指先又はタッチペン等を用いた操作入力を可能にする。
本実施形態における機器保全装置１は操作表示機能を有するタッチパネル１５を用いる場合を説明するが、機器保全装置１は、表示機能を有する表示装置と操作入力機能を有する操作入力装置とを有するものであってもよい。その場合、本実施形態は、タッチパネル１５の表示画面は表示装置の表示画面、タッチパネル１５の操作は操作入力装置の操作として実施することができる。なお、タッチパネル１５は、ヘッドマウント型、メガネ型、腕時計型のディスプレイ等の種々の形態によって実現されてもよい。
【００２８】
通信Ｉ／Ｆ１６は、有線通信又は無線通信を介した、フィールド機器２との通信又は他の装置との通信を制御する、例えばネットワークアダプタである。他の装置とは、例えば、図示しない、他の機器保全装置、保全情報を管理する保全情報管理サーバ、ＤＣＳ（Ｄｉｓｔｒｉｂｕｔｅｄ  Ｃｏｎｔｒｏｌ  Ｓｙｓｔｅｍ：分散制御システム）制御装置、ＦＡ（Ｆａｃｔｏｒｙ  Ａｕｔｏｍａｔｉｏｎ）コンピュータ、ＰＬＣ（Ｐｒｏｇｒａｍｍａｂｌｅ  Ｌｏｇｉｃ  Ｃｏｎｔｒｏｌｌｅｒ）等である。
【００２９】
通信Ｉ／Ｆ１６は、フィールド機器２において使用可能な通信プロトコルを用いてフィールド機器２との通信を制御する。プラントで使用される様々なフィールド機器２においては種々の通信プロトコルが用いられている。したがって、通信Ｉ／Ｆ１６は、フィールド機器２毎にそれぞれ対応した通信プロトコル等の通信種別においてフィールド機器２との通信を制御する。例えば、通信Ｉ／Ｆ１６は、ＩＳＡ（Ｉｎｔｅｒｎａｔｉｏｎａｌ  
Ｓｏｃｉｅｔｙ  ｏｆ  Ａｕｔｏｍａｔｉｏｎ：国際計測制御学会）の無線通信規格であるＩＳＡ１００を通信種別として使用するフィールド機器２との通信を制御する。また、通信Ｉ／Ｆ１６は、ＨＡＲＴ（Ｈｉｇｈｗａｙ  Ａｄｄｒｅｓｓａｂｌｅ  Ｒｅｍｏｔｅ
Ｔｒａｎｓｄｕｃｅｒ）（登録商標）、ＢＲＡＩＮ（登録商標）、ＦＯＵＮＤＡＴＩＯＮ  Ｆｉｅｌｄｂｕｓ、ＰＲＯＦＩＢＵＳ等の工業計器専用の通信種別を使用するフィールド機器２との通信を制御してもよい。また、通信Ｉ／Ｆ１６は、無線ＬＡＮ通信、有線ＬＡＮ通信、赤外線通信、近距離無線通信等の汎用通信種別を使用するフィールド機器２やＤＣＳ等との通信を制御してもよい。
【００３０】
カードスロット１７は、ＰＣカードを挿入するスロットである。カードスロット１７は、機器保全装置１において挿入されたＰＣカードの機能を利用可能にする。ＰＣカードは、例えば、特定の通信を実現させる通信機能やストレージ機能を提供することができる。
【００３１】
機器保全装置１が通信可能に接続されるフィールド機器２は、例えば、差圧計、温度計、流量計等の機器保全装置１に対して物理量（圧力、温度等）の信号を入力する入力機器、又は調節弁等の機器保全装置１から調節弁の開度を変更する制御信号を出力する出力機器である。図１においては、フィールド機器２を省略して１つのみを図示したが、上述の通り、プラントでは様々なフィールド機器２が使用され、機器保全装置１は複数のフィールド機器２と接続される。
以上で、図１を用いた、機器保全装置１のハードウェア構成の説明を終了する。
【００３２】
次に、図２を用いて、機器保全装置の機能構成を説明する。図２は、実施形態における機器保全装置１００の機能構成の一例を示すブロック図である。なお、以下の説明においては、図１を適宜参照する。
【００３３】
図２（Ａ）において、機器保全装置１００は、通信部１０１、機器情報保管部１０２、表示データ生成部１０３、保全実行部１０４、及び保全情報保存部１０５の各機能を有する。機器保全装置１００の上記各機能は、図１で示したＣＰＵ１１においてプログラムを実行することによって実現することができる。すなわち、機器保全装置１００の上記各機能は、ソフトウェアによって実現される機能モジュールである。
【００３４】
通信部１０１は、通信Ｉ／Ｆ１６を介して、フィールド機器２との通信又は他の装置との通信を制御して、フィールド機器２のパラメータを取得する。フィールド機器２のパラメータとは、フィールド機器２の機器情報の一例であり、本実施形態においては、機器情報とパラメータを同義として説明する。
【００３５】
フィールド機器２のパラメータは、例えば、フィールド機器２の機器タグ、機器アドレス、製造者、機器ＩＤ又は機器タイプ、モデル名、通信規格等のフィールド機器２を特定するための情報、フィールド機器２の動作を定めるための設定値、フィールド機器２の状態を示す情報、若しくはフィールド機器２において測定された測定値等である。すなわち、パラメータには、機器ＩＤ等の固定値であるもの、フィールド機器の設定値や測定値等の変動可能な値であるものを含んでいてもよい。なお、以下で説明するフィールド機器２から取得したパラメータの比較は、パラメータが変動可能な値である場合における比較である。
【００３６】
通信部１０１は、通信部１０１が制御する通信種別によって、例えば、ＩＳＡ１００、ＨＡＲＴ、ＢＲＡＩＮ等の通信種別（通信規格）のフィールド機器２のパラメータの設定、パラメータの読出し、パラメータの確認等を行う。通信部１０１は、無線ＬＡＮ通信、有線ＬＡＮ通信、赤外線通信、近距離無線通信等の制御を行ってもよい。通信部１０１は、それぞれの通信に対応した制御を行うためのプログラムモジュールを有するものであってもよい。通信部１０１は、それぞれの通信に必要なプログラムモジュールを追加してインストールできるようにしてもよい。通信部１０１は、通信Ｉ／Ｆ１６を介して接続されているフィールド機器２を自動的に（又は手動的に）認識して、認識したフィールド機器２のパラメータを取得することができる。
【００３７】
なお、フィールド機器２のパラメータの取得は、上述した通信による情報の取得に限定されるものではない。例えば、作業者が目視でフィールド機器２のタグ名やモデル名を確認してキー入力したり、機器保全装置１に備えつけのカメラでタグ名やモデル名の記載のあるフィールド機器２の銘板を撮影して、撮影画像からタグ名やモデル名を認識したりして、フィールド機器２から取得するものであってもよい。
【００３８】
また、フィールド機器２のパラメータの取得のタイミングは任意である。例えば、パラメータの取得は、作業者の保全項目の実行によって不定期に行われる。また、パラメータの取得は、フィールド機器２の種別又は通信種別等のフィールド機器２の種類に応じて予め定められた周期（頻度）で定期的に行われる場合もある。
【００３９】
機器情報保管部１０２は、フィールド機器２の機器情報（パラメータ）とこれに対応した保全項目の情報を保管する。機器情報保管部１０２において保管される保全項目は、フィールド機器２に設定されているパラメータの確認、フィールド機器２に対するパラメータの設定、所定の試験、所定の調整等である。保全項目には、保全項目の実行結果を報告するための報告書の出力等を含んでいてもよい。本実施形態において機器情報保管部１０２が保管する保全項目は、例えば、ループテスト（ループ試験）、ゼロ点調整、スパン調整、ワンタッチレポート、詳細な診断情報の表示、タグ／アドレス／ロール設定、設定制限の設定／解除、ＤＴＭ（Ｄｅｖｉｃｅ  Ｔｙｐｅ  Ｍａｎａｇｅｒ）のインストール、ＤＤ（Ｄｅｖｉｃｅ  Ｄｅｓｃｒｉｐｔｉｏｎ）のインストール、パラメータ取得、バルブのキャリブレーション、機器のスコーク、ＩＳＡ１００プロビジョニング、機器のオンサービス／オフサービス切替、サービスモード切替、バルブのパーシャルストロークテスト（部分作動検査）である。
【００４０】
機器情報保管部１０２は、それぞれのフィールド機器２とそのフィールド機器２において実行される保全項目とを対応付けて、対応付けた情報を読出し可能に保管する。機器情報保管部１０２は、１つのフィールド機器２に対して１又は複数の保全項目を対応付けることができる。上記保全項目の中には、所定のフィールド機器２において実行できる保全項目と実行できない保全項目とがある。例えば、バルブのキャリブレーションの保全項目は、バルブを有するフィールド機器２においては実行可能であるが、バルブを有さない温度計等のフィールド機器２においては実行できない。機器情報保管部１０２は、それぞれのフィールド機器２において実行可能な保全項目をフィールド機器２に対応付けて保管する。フィールド機器２のパラメータと保全項目との対応付けは、例えば、予め対応が設定された設定ファイルに基づき行うことができる。設定ファイルには、例えば機器タイプ、通信規格等の情報と保全項目を対応付けるものであってもよい。また、フィールド機器２と保全項目との対応付けは、作業者によって任意に設定できるようにしてもよい。フィールド機器２と保全項目との対応付けは、保全項目を実行する際に作業者によって設定されてもよい。
【００４１】
なお、フィールド機器２においては、保全項目を対応付けない（０個の保全項目を対応付ける）場合があってもよい。例えば、故障中又は不使用中等のフィールド機器２に対しては、保全項目を対応付けないことを保管することにより保全作業が不要であることを示すことができる。機器情報保管部１０２は、対応付けた情報を、例えばＨＤＤ１４に保管してもよい。
【００４２】
また、機器情報保管部１０２は、過去にフィールド機器から取得したパラメータを記憶する。フィールド機器２のパラメータは、フィールド機器２の種別毎に異なる場合がある。例えば、フィールド機器２の種別が差圧計等の入力機器である場合とバルブ等の出力機器である場合においてパラメータの内容が異なる。また、フィールド機器２のパラメータは、フィールド機器２の通信種別毎に異なる場合がある。例えば、フィールド機器２の通信種別がＩＳＡ１００である場合と、ＨＡＲＴである場合においてパラメータの内容が異なる。すなわち、機器情報保管部１０２は、フィールド機器２毎に異なるタイミングで取得された、フィールド機器２毎に異なる内容のパラメータを保管することができる。本実施形態においては、フィールド機器２から過去に取得したパラメータとその後に取得したパラメータとを比較して表示する比較表示をタッチパネル１５に表示する。比較表示は、比較対象のパラメータの推移に基づき生成される、パラメータの推移を作業者に認識させるための表示である。比較表示は、パラメータの推移を作業者に認識させる、図形、文字、アイコン、記号、パラメータの差分値、グラフ等である。比較表示の例は、図９等を用いて後述する。比較対象のパラメータは、後述する情報種類選択画面から選択することができる。機器情報保管部１０２は、過去に取得したパラメータを保管することにより、情報種類選択画面から保管されたパラメータを選択可能にする。
【００４３】
表示データ生成部１０３は、タッチパネル１５に表示する表示データを生成する。本実施形態において表示データ生成部１０３は、図２（Ｂ）に示す機能を有する。図２（Ｂ）において、表示データ生成部１０３は、比較対象選択部２０１、情報種類選択部２０２、表示態様選択部２０３及び機器情報表示部２０４の各機能を有する。
【００４４】
比較対象選択部２０１は、比較対象を選択するための比較対象選択画面を生成してタッチパネル１５に表示して選択可能にする。以下の説明では、選択画面を生成して選択結果を取得することを「選択する」というものとする。すなわち、比較対象選択部２０１は、取得した機器情報の比較対象を選択する。比較対象とは、フィールド機器２のパラメータを比較する対象である。パラメータの比較は、過去に取得したパラメータとその後に取得されたパラメータとの比較することにより行う。比較対象選択部２０１による比較対象の選択方法は任意である。比較対象のパラメータは２以上の任意の数である。比較対象選択部２０１による比較対象の選択方法の例は図５を用いて後述する。
【００４５】
情報種類選択部２０２は、比較表示を表示するパラメータの種類を選択するための情報種類選択画面を生成してタッチパネル１５に表示する。すなわち、情報種類選択部２０２は、比較表示を表示する機器情報の種類を選択する。パラメータの種類とは、それぞれのフィールド機器２から取得されるパラメータの種類であって、フィールド機器２によっては数十種類のパラメータを有している。情報種類選択部２０２は、フィールド機器２から取得されるパラメータの中からタッチパネル１５に表示する比較表示を選択可能にする。
パラメータの種類の例は、図７及び図８を用いて後述する。
【００４６】
また、情報種類選択部２０２は、パラメータの種類の選択を、フィールド機器２の種別（機種別）毎に選択可能に表示する。パラメータの種類は上述の通り、フィールド機器２によっては数十種類あるが、パラメータの種類は、フィールド機器２の種別が同一の場合同一となる（パラメータの種類の一部が同一となる場合を含む）。したがって、比較表示を表示するパラメータの種類をフィールド機器２の種別毎に設定することにより、同一機種の設定を一度に行うことが可能となり設定作業の効率化を図ることができる。
【００４７】
また、情報種類選択部２０２は、パラメータの種類の選択を、フィールド機器２の通信種別毎に選択可能に表示する。パラメータの種類は、フィールド機器２の通信種別が同一の場合同一となる（パラメータの種類の一部が同一となる場合を含む）。したがって、比較表示を表示するパラメータの種類をフィールド機器２の通信種別毎に設定することにより、同一通信種別の設定を一度に行うことが可能となり設定作業の効率化を図ることができる。
【００４８】
表示態様選択部２０３は、比較表示の表示態様を選択するための表示態様選択画面を生成してタッチパネル１５に表示する。すなわち、表示態様選択部２０３は、比較表示の表示態様を選択する。比較表示の表示態様とは、比較表示の種類（表示シンボルの種類）、表示色、表示の大きさ、表示位置、他の比較表示との表示順位等である。比較表示の表示態様には、比較表示の非表示を含んできてもよい。なお、表示態様選択画面の例は、図９を用いて後述する。
【００４９】
機器情報表示部２０４は、メイン画面を生成してタッチパネル１５に表示する。メイン画面は、例えば、機器保全装置１が起動された後に最初に表示される表示である。メイン画面は、機器保全装置１が起動された後に、図示しないログイン画面においてログイン操作が行われた後、又は初期設定がされた後に表示されるものであってもよい。機器情報表示部２０４は、通信部１０１によって通信接続されて取得されたフィールド機器２のパラメータをメイン画面に表示する。機器情報表示部２０４は、取得された複数のフィールド機器２のパラメータを機器毎に表示するようにしてもよい。また、機器情報表示部２０４は、情報種類選択部２０２で選択されたパラメータの比較表示を、表示態様選択部２０３で選択された表示態様でメイン画面に表示する。本実施形態においては、機器情報表示部２０４は、フィールド機器２から取得されたパラメータと比較表示とを併せて表示する場合を図１０も用いて後述する。しかし、機器情報表示部２０４は、フィールド機器のパラメータと比較表示とを別個の位置又は別個の表示画面に表示するものであってもよい。
【００５０】
なお、本実施形態において「表示する」という場合、タッチパネル１５に画像を表示することを言うとともに、タッチパネル１５に表示する画像データを生成することを含む。
また、本実施形態において「表示部」という場合、タッチパネル１５のような表示装置（ハードウェアデバイス）を言うとともに、表示装置に表示する表示データを生成する機能を有するものであってもよい。すなわち、タッチパネル１５に表示する表示データを生成する表示データ生成部１０３は、表示部の一態様である。
【００５１】
保全実行部１０４は、作業者の実行ボタン押下等の操作に応じて保全項目をフィールド機器２に対して実行させる。保全項目は、操作された保全項目毎に実行される。例えば、１つの保全項目の実行ボタンが操作された場合、１つの保全項目が実行される。保全実行部１０４は、例えば、保全項目に関する設定、保全項目の進行状況の表示、又は保全項目の実行結果の表示等を行ってもよい。
【００５２】
保全情報保存部１０５は、保全実行部１０６で実行された保全項目の結果を保存する。
保全項目の結果とは、例えば、保全項目の実行日時、保全項目の実行結果、保全項目の実行結果に基づく保全計画等である。保全情報保存部１０７において保存された保全項目の結果は、機器情報表示部２０４によって読み出されて、比較表示において比較されるものであってもよい。
【００５３】
なお、図２においては、機器保全装置１０が有する、通信部１０１、機器情報保管部１０２、表示データ生成部１０３、保全実行部１０４、及び保全情報保存部１０５の各機能がソフトウェアによって実現される場合を説明した。しかし、機器保全装置１０が有する上記１つ以上の機能は、ハードウェアによって実現されるものであっても良い。また、機器保全装置１０が有する上記各機能は、１つの機能を複数の機能に分割して実施してもよい。また、機器保全装置１０が有する上記各機能は、２つ以上の機能を１つの機能に集約して実施してもよい。
以上で、図２を用いた、機器保全装置１００の機能構成の説明を終了する。
【００５４】
次に、図３及び図４を用いて、比較表示の設定処理と比較表示の表示処理を説明する。
先ず、図３は、実施形態における機器保全装置１００の比較表示の設定処理の一例を示すフローチャートである。
なお、図３及び図４で説明する機器保全装置１００の処理は、例えば、機器保全装置１００のＣＰＵ１１によって、図２で説明した各機能を実行することに実施することができる。なお、以下の説明においては、図１及び図２を適宜参照する。
【００５５】
図３において、機器保全装置１００は、比較表示の設定をフィールド機器２に対して個別に行うか否かを判断する（ステップＳ１１）。比較表示の設定をフィールド機器２に対して個別に行うか否かは、例えば、後述する情報種類選択画面においてフィールド機器２を特定するタグＩＤ等が入力されたか否かによって判断することができる。比較表示の設定を個別に行うと判断した場合（ステップＳ１１：ＹＥＳ）、機器保全装置１００は、比較表示として表示するパラメータ（機器情報）の選択を個別選択にするように設定する（ステップＳ１２）。パラメータの選択を個別選択することにより、例えば監視に注意が必要なフィールド機器２等、特定のフィールド機器について個別のパラメータ選択が可能になる。
【００５６】
一方、比較表示の設定を個別に行わないと判断した場合（ステップＳ１１：ＮＯ）、機器保全装置１００は、比較表示の設定をフィールド機器２の機器種別で行うか否かを判断する（ステップＳ１３）。比較表示の設定をフィールド機器２の機器種別で行うか否かは、例えば、後述する機器種別選択画面においてフィールド機器２の種別が選択されたか否かによって判断することができる。比較表示の設定を機器種別で行うと判断した場合（ステップＳ１３：ＹＥＳ）、機器保全装置１００は、比較表示として表示するパラメータの選択を機器種別選択にするように設定する（ステップＳ１４）。パラメータの選択を機器種別選択することにより、例えば機器種別で共通するパラメータの比較表示をまとめて設定することが可能になる。
【００５７】
一方、比較表示の設定を機器種別で行わないと判断した場合（ステップＳ１３：ＮＯ）、機器保全装置１００は、比較表示の設定をフィールド機器２の通信種別で行うか否かを判断する（ステップＳ１５）。比較表示の設定をフィールド機器２の通信種別で行うか否かは、例えば、後述する通信種別選択画面においてフィールド機器２の通信種別が選択されたか否かによって判断することができる。比較表示の設定を通信種別で行うと判断した場合（ステップＳ１５：ＹＥＳ）、機器保全装置１００は、比較表示として表示するパラメータの選択を通信種別選択にするように設定する（ステップＳ１６）。パラメータの選択を通信種別選択することにより、例えば通信種別で共通するパラメータの比較表示をまとめて設定することが可能になる。
【００５８】
一方、比較表示の設定を通信種別で行わないと判断した場合（ステップＳ１５：ＮＯ）、機器保全装置１００は、ステップＳ１１の処理に戻り、ステップＳ１１〜ステップＳ１５の処理において、パラメータの個別選択、機器種別での選択、又は通信種別での選択のいずれかの選択がされるのを待機する。なお、いずれかの選択がされるのを待機しているときに比較表示の設定が、それぞれの設定画面が閉じられる等によって中断されたときには、図３のフローチャートに示す処理を終了する。
【００５９】
ステップＳ１２、ステップＳ１４又はステップＳ１６の処理を実行した後、機器保全装置１００は、比較表示をするパラメータ（機器情報）の選択画面を表示して、選択結果を設定する（ステップＳ１７）。パラメータの選択画面は、ステップＳ１２の処理において個別選択が設定された場合、ステップＳ１４の処理において機器種別選択が設定された場合、又はステップＳ１６の処理において通信種別選択が設定された場合においてそれぞれ異なる。機器保全装置１００は、それぞれの設定画面において選択されたパラメータを比較表示として表示するパラメータとして設定し、図４で説明する比較表示の表示処理において参照する。なお、個別選択が設定された場合のパラメータの選択画面は図９を用いて後述する。機器種別選択が設定された場合のパラメータの選択画面は図６（Ａ）を用いて後述する。また、通信種別選択が設定された場合のパラメータの選択画面は図６（Ｂ）を用いて後述する。選択されたパラメータの設定は、例えば、図１のＨＤＤ１４等に記憶する。
【００６０】
ステップＳ１７の処理を実行した後、機器保全装置１００は、比較表示の比較対象を選択するための比較対象選択画面を表示して、選択結果を設定し（ステップＳ１８）、図３のフローチャートに示す処理を終了する。なお、比較対象選択画面は、図５を用いて後述する。また、図３においては、ステップＳ１７の比較対象の選択処理は、ステップＳ１１〜ステップＳ１６の処理と連続して実行される場合を示したが、比較対象の選択処理は、ステップＳ１１〜ステップＳ１６の処理とは別個に行うものであってもよい。
【００６１】
図４は、実施形態における機器保全装置の比較表示の表示処理の一例を示すフローチャートである。図４のフローチャートに示す比較表示の表示処理は、図３のフローチャートに示す比較表示の設定処理を実行した後に実行される処理である。
【００６２】
図４において、機器保全装置１００は、フィールド機器２との通信接続処理をする（ステップＳ２１）。通信接続処理は、有線接続又は無線接続のいずれであってもよい。有線接続の場合、例えば、機器保全装置１００の端子をフィールド機器の所定の端子に接続することにより行われる。通信接続処理は、それぞれの通信種別の接続手順に従って実行される。
【００６３】
ステップＳ２１の処理を実行した後、機器保全装置１００は、フィールド機器２からパラメータ（機器情報）を取得する。所得したパラメータは、例えば、ＨＤＤ１４に記憶する。機器情報の取得方法は任意である。機器保全装置１００は、例えば、ステップＳ２１の通信接続処理がされた後に自動的に又は手動でパラメータを取得するようにしてもよい、また、機器保全装置１００は、所定の時間間隔で自動的にパラメータを取得してもよい。また、機器保全装置１００は、予め決められた所定の取得スケジュールに従って自動的にパラメータを取得してもよい。
【００６４】
ステップＳ２２の処理を実行した後、機器保全装置１００は、比較対象の検索処理を実行する。比較対象の検索処理とは、ステップＳ２２の処理で取得したパラメータと比較するパラメータを検索する処理である。検索は、図３のステップＳ１７の処理で設定したパラメータにおける、ステップＳ１８の処理で設定した比較対象のパラメータを検索対象（検索条件）とする。機器保全装置１００は、過去にフィールド機器２から取得したパラメータの中から検索対象のパラメータを検索してそのパラメータを取得して比較対象とする。機器保全装置１００は、例えば、指定期間において取得した所定のパラメータを比較対象として検索する。
【００６５】
ステップＳ２３の処理を実行した後、機器保全装置１００は、比較表示を生成する（ステップＳ２４）。比較表示は、ステップＳ２２において取得したパラメータに基づき、予め選択された表示態様で生成される。ステップＳ２４の処理を実行した後、機器保全装置１００は、生成した比較表示をメイン画面に表示する（ステップＳ２５）。ステップＳ２５の処理を実行した後、機器保全装置１００は、パラメータを再取得するか否かを判断する（ステップＳ２６）。パラメータの再取得は、ステップＳ２２の処理と同様に任意に実行することができる。
【００６６】
パラメータを再取得すると判断した場合（ステップＳ２６：ＹＥＳ）、機器保全装置１００は、ステップＳ２１の処理に戻り、ステップＳ２１からステップＳ２５の処理を再度実行する。例えば、パラメータを所定の時間間隔で繰り返して取得する場合、パラメータを再取得するかは、前回のパラメータの取得から所定の時間が経過したか否かで判断することができる。パラメータを再取得することにより、取得の度に比較表示を再生成して表示することが可能となる。
【００６７】
一方、パラメータを再取得しないと判断した場合（ステップＳ２６：ＮＯ）、機器保全装置１００は、処理を終了するか否かを判断する（ステップＳ２７）。処理を終了すると判断した場合（ステップＳ２７：ＹＥＳ）、機器保全装置１００は、図４のフローチャートに示す処理を終了する。一方、処理を終了しないと判断した場合（ステップＳ２７：ＮＯ）、機器保全装置１００は、ステップＳ２６の処理を再度実行し、パラメータの再取得又は処理の終了を待機する。
【００６８】
なお、図４で示した比較表示の表示処理においては、比較表示の生成をパラメータの取得の度に実行する場合を示したが、例えば、比較表示の生成は、所定回数のパラメータの取得がされたときに実行するようにしてもよい。また、比較表示の生成とパラメータの取得のタイミングは非同期であってもよい。
以上で、図３及び図４を用いた、比較表示の設定処理と比較表示の表示処理の説明を終了する。
【００６９】
次に、図５を用いて、比較表示の比較対象の設定画面を説明する。図５は、実施形態における機器保全装置が表示する比較表示の比較対象の設定画面の一例を示す図である。図５に示す比較対象の設定画面は、図２の比較対象選択部２０１において生成されてタッチパネル１５に表示される。
【００７０】
図５において、設定画面１０１０は、ラジオボタン１０１１、データ指定部１０１２、開始日時指定部１０１３、終了日時指定部１０１４、数値処理指定部１０１５及び保存ボタン１０１６を含む。
【００７１】
ラジオボタン１０１１は、比較対象のパラメータのデータとして、「前回取得時のデータ」、「指定したデータ」、又は「期間データ」のいずれか１つを選択するためのボタンである。「前回取得時のデータ」は、前回取得した１つのデータを比較対象とするものである。「指定したデータ」は、データ指定部１０１２において取得日時を指定した１つのデータを比較対象とするものである。データ指定部１０１２は、パラメータを取得した日時を選択可能に表示する。複数の日時においてパラメータを取得したときには、データ指定部１０１２は、プルダウンによって１つの取得日時を選択可能にする。「期間データ」は、開始日時指定部１０１３と終了日時指定部１０１４とにおいて開始日時及び終了日時を指定する。開始日時と終了日時の間において、複数のパラメータが取得されている場合がある。数値処理指定部１０１５は、開始日時と終了日時の間において取得されたパラメータの数値処理を指定する。例えば、平均値は、取得されたパラメータの平均値演算を指定して、平均値を比較対象として設定する。最大値は取得されたパラメータの中の最大値、最小値は取得されたパラメータの中の最小値を比較対象として設定する。
【００７２】
保存ボタン１０１６は、ラジオボタン１０１１等によって設定された内容を保存するためのボタンである。保存ボタン１０１６を押下することにより、設定内容が比較表示に反映される。
【００７３】
なお、図５においては、比較対象の選択を上記方法で行う場合を示したが、比較対象の選択方法は上記に限定されるものではない。例えば、選択対象を時期又は期間等の時間的要件で指定する場合としては、パラメータの取得間隔が所定時間以上であるもの、パラメータの取得が所定の曜日や所定の時間帯であるもの等である。また、選択対象を時間的要件で指定する場合に代えて、パラメータの値を要件とする指定、作業者（例えば、作業者ＩＤ）を要件とする指定、設備の稼働状況や製品の生産量等の生産情報を要件とする指定によって比較対象を選択するものであってもよい。例えば、パラメータの値を要件とする指定方法としては、取得したパラメータの中で、パラメータが正常（正常値、正常範囲等）であると判断されたものを保存しておき、これを比較対象の選択対象としてもよい。一方、取得したパラメータの中で、パラメータが異常（異常値、異常範囲等）であると判断されたものを保存しておき、これを比較対象の選択対象としてもよい。
以上で、図５を用いた、比較表示の比較対象の設定画面の説明を終了する。
【００７４】
次に、図６、図７及び図８を用いて、比較表示に表示する機器情報（パラメータ）の種類の選択について説明する。図６は、実施形態における比較表示に表示する機器情報の種類の選択の一例を示す図である。図６に示す比較対象の設定画面は、図２の情報種類選択部２０２において生成されてタッチパネル１５に表示される。
【００７５】
図６（Ａ）は、比較表示に表示するパラメータをフィールド機器の種別で選択する場合の選択画面である。図６（Ａ）の選択画面は、「ＡＡ」、「ＡＢ」等の種別を選択可能なチェックボックスを含む。「ＡＡ」、「ＡＢ」等の種別は、例えばフィールド機器２のシリーズ名である。例えば、種別「ＡＡ」は差圧計のシリーズ、種別「ＡＢ」は温度計のシリーズ、さらに種別「ＡＣ」は流量計のシリーズである。図６（Ａ）の選択画面において複数の機器種別を選択したときには、選択した複数の機器種別について同じパラメータの選択が適用されるものとする。チェックボックスによって複数の機器種別を選択できるようにすることにより、複数の機器種別について適用する比較対象の設定を同時に行うことが可能となる。
【００７６】
図６（Ｂ）は、比較表示に表示するパラメータをフィールド機器の通信種別で選択する場合の選択画面である。図６（Ｂ）の選択画面は、「通信Ａ」〜「通信Ｈ」までの通信種別を選択可能なチェックボックスを含む。「通信Ａ」、「通信Ｂ」等の通信種別は、例えばフィールド機器２の、ＩＳＡ１００、ＨＡＲＴ等の通信プロトコルである。図６（Ｂ）の選択画面において複数の機器種別を選択したときには、図６（Ａ）の選択画面と同様に、選択した複数の通信種別について同じパラメータの選択が適用されるものとする。チェックボックスによって複数の通信種別を選択できるようにすることにより、複数の通信種別について適用する比較対象の設定を同時に行うことが可能となる。
【００７７】
図７は、図６（Ａ）において、フィールド機器２の機器種別を選択した場合におけるフィールド機器の選択画面である。図７（Ａ）は、図６（Ａ）において、種別「ＡＡ」が選択されたときのパラメータの選択画面である。図７（Ａ）は、「ＰＶ（Ｐｒｉｍａｒｙ  
Ｖａｌｕｅ：第１数値）」、「ＰＶ  ＵＲＶ（Ｕｐｐｅｒ  Ｒａｎｇｅ  Ｖａｌｕｅ：上限値）」、「ＰＶ  ＬＲＶ（Ｌｏｗｅｒ  Ｒａｎｇｅ  Ｖａｌｕｅ：下限値）」、「ＰＲＯＴＥＣＴ（書き込禁止）」等のパラメータを選択可能なチェックボックスを有する。チェックボックスによって複数のパラメータを選択できるようにすることにより、複数のパラメータを同時に比較対象として選択することが可能となる。なお、本実施形態では、比較表示に選択されたパラメータをメイン画面に表示するため、選択できるパラメータの数を所定の範囲内に制限するようにしてもよい。機器種別を選択することにより、その機種から取得されるパラメータの一覧が表示されるため、作業者によるパラメータの設定ミスを低減することが可能となる。
【００７８】
図７（Ｂ）は、図６（Ａ）において、種別「ＡＢ」が選択されたときのパラメータの選択画面である。図７（Ｂ）は、「ＰＶ」、「ＰＶ  ＵＲＶ」、「ＰＶ  ＨＲＶ（Ｈｉｇｈ
Ｒａｎｇｅ  Ｖａｌｕｅ：上限値）」等のパラメータを選択可能なチェックボックスを有する。図７（Ｂ）は、図７（Ａ）と、選択できるパラメータが一部異なることを示している。
【００７９】
図８は、図６（Ｂ）において、フィールド機器２の通信種別を選択した場合におけるフィールド機器の選択画面である。図８（Ａ）は、図６（Ｂ）において、通信種別「通信Ａ」が選択されたときのパラメータの選択画面である。図８（Ａ）は、「ＰＶ」、「ＳＶ（Ｓｅｃｏｎｄａｒｙ  Ｖａｌｕｅ：第２数値）」等のパラメータを選択可能なチェックボックスを有する。また、図８（Ｂ）は、図６（Ｂ）において、通信種別「通信Ｂ」が選択されたときのパラメータの選択画面である。
【００８０】
なお、本実施形態においては、フィールド機器２の機器種別又は通信種別を選択することにより一意のパラメータが表示される場合を示したが、パラメータの中には設備の保全において殆ど利用しないものが含まれる場合がある。したがって、例えば、図７又は図８のパラメータ選択画面において、よく使うパラメータが優先して表示されるようにしてもよい。例えば、機器保全装置１は、パラメータを取得又は変更する回数を機器情報毎にカウントして優先度を算出して、それに基づき表示されるようにしてもよい。
【００８１】
また、機器種別と通信種別の組み合わせ等、他の条件に応じて選択できるパラメータを変更するものであってもよい。
また、図６において、複数の機器種別又は通信種別が選択されたときには、複数の機器種別又は通信種別に応じて選択できるパラメータを変更するものであってもよい。
以上で、図６、図７及び図８を用いた、比較表示に表示するパラメータの種類の選択についての説明を終了する。
【００８２】
次に、図９を用いて、情報種類選択画面及び表示態様選択画面を説明する。図９は、実施形態における機器保全装置が表示する情報種類選択画面及び表示態様選択画面の一例を示す図である。図９において、情報種類選択画面１０２０は、種類選択部１０２１、パラメータ選択部１０２２、表示対象１０２３、表示シンボル選択部１０２４、保存ボタン１０２５を有する。
【００８３】
種類選択部１０２１は、フィールド機器２の種類を選択するプルダウンメニューである。種類選択部１０２１で選択されるフィールド機器２の種類とは、上述したフィールド機器２の機器種別又は通信種別である。すなわち、種類選択部１０２１は、図６（Ａ）及び図６（Ｂ）で説明した選択画面に相当する機能を有しているものとする。
【００８４】
パラメータ選択部１０２２は、種類選択部１０２１で選択されたフィールド機器２の種類に応じたパラメータを選択可能に表示する、すなわち、パラメータ選択部１０２２は、図７（Ａ）、図７（Ｂ）、図８（Ａ）及び図８（Ｂ）で説明したパラメータ選択画面に相当する機能を有しているものとする。
【００８５】
表示対象１０２３は、パラメータ選択部１０２２において選択された表示対象のパラメータを表示する。表示対象１０２３は、パラメータ選択部１０２２のチェックボックスが選択されたパラメータ、パラメータ選択部１０２２からドラッグアンドドロップされたパラメータ、又は、表示対象１０２３に表示されるプルダウンメニューによって選択されたパラメータを表示する。プルダウンメニューは、パラメータ選択部１０２２に表示される全部のパラメータ、又は一部のパラメータを優先的に表示するものとする。例えば、過去に取得したパラメータ、プルダウンメニューへの表示が設定されたパラメータ等を優先させてもよい。なお、表示対象１０２３に表示されたパラメータは、並び替え、変更又は削除が可能であるものとする。表示対象１０２３で選択されたそれぞれのパラメータの右側に図示する「○」印の中に「×」印は、選択を取り消すための取消しボタンである。取消しボタンが押下されたときには、そのパラメータの表示が消えて選択が解除される。
【００８６】
表示シンボル選択部１０２４は、表示態様選択画面の一例であって、図２で説明した比較表示の表示態様の一例である表示シンボルを選択するチェックボックスである。表示シンボル選択部１０２４は、矢印、記号、差分、文言、トレンドの各表示シンボルを１又は複数選択可能に表示している。表示シンボル選択部１０２４において選択された表示シンボルの設定は、全てのパラメータに適用するようにしても一部のパラメータに適用するようにしてもよい。表示シンボル選択部１０２４において選択された表示シンボルは、メイン画面に表示される。表示シンボルの詳細は、図１１を用いて後述する。
【００８７】
保存ボタン１０２５は、情報種類選択画面１０２０において設定された内容を保存するためのボタンである。
以上で、図９を用いた、情報種類選択画面１０２０の説明を終了する。
【００８８】
次に、図１０及び図１１を用いて、メイン画面を説明する。図１０は、実施形態における機器保全装置が表示するメイン画面の一例を示す図である。図１１は、実施形態における機器保全装置が表示するメイン画面の比較表示の一例を示す図である。
【００８９】
図１０において、メイン画面１０３０は、上述のように、例えば、機器保全装置１が起動された後に最初に表示される表示である。メイン画面１０３０は、フィールド機器２のパラメータの表示及び登録をする画面である。メイン画面１０３０は、メニューバー１０３１、機器基本情報表示１０３３、パラメータ取得ボタン１０３４、メモ／画像表示１０３５、及びパラメータ表示１０４０を有する。ここで、機器基本情報表示１０３３、パラメータ取得ボタン１０３４、及びメモ／画像表示１０３５を、以下「機器情報１０３２」という。図１０は、タグＩＤが「ＴＡＧ  １２３４」のフィールド機器２におけるメイン画面の表示例を示している。複数のフィールド機器を表示する場合、機器情報１０３２及びパラメータ表示１０４０は、フィールド機器の台数分表示される。パラメータ表示１０４０は、機器情報１０３２が複数台数分表示されたときには、それぞれの機器情報１０３２の図１０図示右側に表示される。メイン画面１０３０において、パラメータ表示１０４０は、機器情報１０３２に対応して、機器情報１０３２とともに表示される。パラメータ表示１０４０の表示態様は、図１０のようにメイン画面１０３０において機器情報１０３２の右側に表示される場合に限定されず、例えば、メイン画面１０３０と別ウインドで表示されるものであってもよい。なお、パラメータ表示１０４０の詳細は、図１１を用いて後述する。
【００９０】
メニューバー１０３１は、「ファイル（Ｆ）」、「表示（Ｖ）」、「操作（Ａ）」、「ツール（Ｔ）」、及び「ヘルプ（Ｈ）」の大項目のメニューを有する。なお、括弧書きの文字は、所定のキーと共に押下すうることによりメニューバーを操作することができるショートカットキーである。大項目のメニューを選択するとさらに詳細なメニュー項目がプルダウンで選択可能になる。本実施形態においてはメニューバー１００１の中で「操作（Ｖ）」のメニューを操作したときのメニューボタンは、パラメータ取得ボタン１０３４等のボタンと同様の機能を有する。
【００９１】
機器基本情報表示１０３３は、接続されたフィールド機器２の、アイコン、機器タグ、製造者、機器アドレス、機器ＩＤ、ライトプロテクトの状態等を表示する。パラメータ取得ボタン１０３４は、全パラメータ又はゼロ点調整のパラメータを取得するための実行ボタン、取得したパラメータを外部ファイルに出力するためのボタン等を表示することができる。メモ／画像表示１０３５は、保全対象のフィールド機器２に対して予め入力されたコメント（メモ又は付箋）を表示するコメント表示欄と、フィールド機器２の写真を表示する写真表示欄とを有する。
【００９２】
メイン画面１０３０は、セグメントビューワ切替ボタン１０３６、機器ナビゲータ切替ボタン１０３７、操作ログ切替ボタン１０３８を有する。メイン画面１０３０は、セグメントビューワ切替ボタン１０３６が押下されている状態で表示される。操作ログ切替ボタン１０３８は、保全情報保存部１０５において保存された実行情報等の保全情報を表示するための表示画面を表示する。
【００９３】
図１１において、パラメータ表示１０４０は、パラメータ項目１０４１、パラメータ値１０４２、単位表示１０４３、矢印表示１０４４、記号表示１０４５、差分表示１０４６、文言表示１０４７、トレンド表示１０４８及び比較対象１０４９を有する。矢印表示１０４４、記号表示１０４５、差分表示１０４６、文言表示１０４７及びトレンド表示１０４８は、比較表示の表示例である。比較表示は、図９で説明した表示シンボル選択部１０２４において選択されたものが表示される。図１１は、表示シンボル選択部１０２４において全てのチェックボックスが選択されたときの表示例である。
【００９４】
矢印表示１０４４は、図５の設定画面１０１０において設定された比較対象とその後に取得されたパラメータとの差分を矢印の向きで視覚化した表示シンボルである。矢印の向きの表示態様については、図１２を用いて後述する。なお、数値を持たない「ＰＲＯＴＥＣＴ」等のパラメータについては、矢印表示１０４４、差分表示１０４６及びトレンド表示１０４８は表示しない。
【００９５】
記号表示１０４５は、パラメータの差分を予め定められた記号で視覚化した表示シンボルである。記号表示１０４５は、例えば、パラメータの差分の増減が正常であるときには「○」印を表示し、パラメータの差分の増減が注意を要するものであるときには「△」印を表示し、さらにパラメータの差分の増減が異常であるときには「×」印を表示する。パラメータの差分の増減による、正常等の判断基準（所定の閾値との比較等）は、予め設定しておくことができる。記号表示１０４５を表示することにより、矢印表示１０４４又はトレンド表示１０４８等で表示されるパラメータの増減のみでは直ちに理解できないパラメータの異常等を視認しやすくなる。
【００９６】
差分表示１０４６は、パラメータの差分を数値で表す表示シンボルである。差分表示１０４６で表示する数値の桁数は、予め設定しておくことができる。文言表示１０４７は、パラメータの変化について、予め定められた文字（テキスト）の情報を表示する表示シンボルである。例えば、パラメータ項目１０４１における「ＰＲＯＴＥＣＴ」のパラメータは、パラメータの書き込み禁止が設定されているか否かを示すものであり、文言表示１０４７には、設定に変更があったときには「変更あり」の文字が表示される。一方、文言表示１０４７には、設定に変更がないときには「変更なし」の文字が表示される。トレンド表示１０４８は、所定期間におけるパラメータの推移をグラフで視覚化した表示シンボルである。比較対象１０４９は、比較対象のパラメータの取得日時を示す。
【００９７】
なお、パラメータ表示１０４０の表示態様は、図１１の表示例に限定されるものではない。例えば、パラメータ項目１０４１、パラメータ値１０４２、単位表示１０４３、矢印表示１０４４、記号表示１０４５、差分表示１０４６、文言表示１０４７又はトレンド表示１０４８は、表示色、フォント、点滅の有無、枠線やアンダーライン等による装飾等を変更する表示態様を有していてもよい。また、表示態様は、パラメータ表示１０４０におけるパラメータの表示順序を異常の有無等の条件によって変更するものであってもよい。
また、比較表示の表示態様には、例えば、静止画又は動画の画像表示等を含んでもよい。
なお、比較表示に、音声、振動等の表示以外の報知態様を組み合わせてもよい。
以上で、図１０及び図１１を用いた、メイン画面１０３０の説明を終了する。
【００９８】
次に、図１２を用いて、図１１の矢印表示１０４４の矢印の方向による比較表示の表示態様を説明する、図１２は、実施形態における機器保全装置が表示する矢印の方向による比較表示の表示態様の一例を示す図である。
【００９９】
図１２は、図１１のパラメータ項目１０４１、パラメータ値１０４２、単位表示１０４３及び矢印表示１０４４を抜粋したものである。図１２は、矢印の方向として、水平表示１０５１、急上昇表示１０５２、上昇表示１０５３及び下降表示１０５４を例示している。水平表示１０５１は、パラメータの増減が前回比（例えば、比較対象となる値との比）で±０％である場合の表示態様である。急上昇表示１０５２は、パラメータの増減が前回比で＋１０〜＋５０％である場合の表示態様である。上昇表示１０５３は、パラメータの増減が前回比で０〜＋１０％である場合の表示態様である。また、下降表示１０５４は、パラメータの増減が前回比で０〜−１０％である場合の表示態様である。矢印表示１０４４の表示態様によって作業者は、パラメータの増減の大きさを容易に視認することが可能となる。図１２に示す矢印表示１０４４の表示態様は、予め設定して保存しておくことができる。
【０１００】
なお、図１２においては、比較表示の中で矢印表示１０４４の表示態様を設定する場合を説明したが、他の比較表示についても同様に表示態様を設定することができるものとする。
以上で、図１２を用いた、矢印の方向による比較表示の表示態様の説明を終了する。
【０１０１】
以上説明したように、本実施形態における機器保全装置は、保全対象の機器から取得した機器情報を表示する表示部を備える機器保全装置であって、前記表示部は、取得した前記機器情報の比較対象を選択する比較対象選択画面と、選択された前記比較対象の前記機器情報の推移に基づき生成される比較表示を前記機器毎に表示する機器情報表示画面とを表示することにより、機器情報の推移を理解容易に表示することができる。
【０１０２】
なお、本実施形態においては、比較表示をメイン画面１０３０に表示するものを例示したが、比較表示の表示態様はこれに限定されるものではない。例えば、比較表示が、アイコンや文字等の情報にタッチすることで別ウインドが起動して表示されたり、別ウインドに遷移又は切替って表示されたりするものであってもよい。また、表示パネルが複数配置されている場合、メイン画面１０３０と比較表示がそれぞれ別の表示パネルにおいてともに表示されるものであってもよい。また、比較表示は、タッチパネル１５における矩形等の所定の領域において表示される場合を示したが、例えば、比較表示は、タッチパネル上での領域を特定せずに、タッチパネルに対する長押し、スワイプ、ピンチ等所定の操作を行うことにより操作可能な対象であってもよい。また、比較表示は、ハードウェアスイッチ等に設けられたランプやディスプレイに表示されて、操作されるものであってもよい。
【０１０３】
また、比較表示は、表示色、表示の大きさ、フォント等を経時的に変更するものであってもよい。例えば、比較表示の表示色を青から黄、または黄から赤に変更するようにしてもよい、また、比較表示の表示とともに、音声、振動等の報知手段を用いてパラメータの推移を報知してもよい。
【０１０４】
また、本実施形態で説明した装置を構成する機能を実現するためのプログラムを、コンピュータ読み取り可能な記録媒体に記録して、当該記録媒体に記録されたプログラムをコンピュータシステムに読み込ませ、実行することにより、本実施形態の上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１０５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現するもの、いわゆる差分ファイル（差分プログラム）であっても良い。
【０１０６】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【０１０７】
１        機器保全装置
１１      ＣＰＵ
１２      ＲＡＭ
１３      ＲＯＭ
１４      ＨＤＤ
１５      タッチパネル
１６      通信Ｉ／Ｆ
１７      カードスロット
２        フィールド機器
１０１    通信部
１０２    機器情報保管部
１０３    表示データ生成部
１０４    保全実行部
１０５    保全情報保存部
２０１    比較対象選択部
２０２    情報種類選択部
２０３    表示態様選択部
２０４    機器情報表示部
【図１】
2019040627.tif 000003
【図２】
2019040627.tif 000004
【図３】
2019040627.tif 000005
【図４】
2019040627.tif 000006
【図５】
2019040627.tif 000007
【図６】
2019040627.tif 000008
【図７】
2019040627.tif 000009
【図８】
2019040627.tif 000010
【図９】
2019040627.tif 000011
【図１０】
2019040627.tif 000012
【図１１】
2019040627.tif 000013
【図１２】
2019040627.tif 000014